(57)【特許請求の範囲】
【請求項１】
固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、受皿部材を収納する受皿収納部と、この受皿収納部を容器本体に連結するとともに可撓性を有する緩衝部とを備え、
当該緩衝部は、受皿収納部に固定される環状体と、当該環状体から垂下して受皿収納部の底部を容器本体の凹所底面よりも上方に支持する複数の脚部と、当該環状体から外側に向かって上方に伸びる腕部を有して容器本体に固定される固定部が設けられたブリッジ部と、当該環状体から起立して前記複数の脚部とともに受皿収納部を高さ方向に位置決めする複数の突起部とからなることを特徴とするコンパクト容器。
【請求項２】
請求項１において、前記脚部は、下方に向かって先細りする形状であることを特徴とするコンパクト容器。
【請求項３】
請求項１又は２において、前記突起部は、上方に向かって先細りする形状であることを特徴とするコンパクト容器。
【請求項４】
請求項１乃至３のいずれか１項において、前記容器本体に、前記緩衝部を覆うカバーを備えた中枠部材を設けたことを特徴とするコンパクト容器。
【発明の詳細な説明】
【技術分野】
【０００１】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器に関するものである。
【背景技術】
【０００２】
コンパクト容器は化粧料容器に用いられることが一般的であるが、受皿部材に固定される固形化粧料は、簡単に塗布できるように崩れ易くできている。このため、従来から、受皿部材と容器本体との間に衝撃吸収部材を配置したものが既知である。こうした衝撃吸収部材としては、容器本体の凹所底面と受皿部材の底部との間に空洞を形成するように中空凸状に形作られたクッション部を有し、受皿部材の側壁をフランジ部で保持して当該側壁との間に隙間を形成するものがある（例えば、特許文献１参照）。
【先行技術文献】
【特許文献】
【０００３】
【特許文献１】特開２０１０−１７８８９８号公報
【発明の概要】
【発明が解決しようとする課題】
【０００４】
しかしながら、上述したクッション部は、容器本体の凹所底面と受皿部材の底部との間に空洞を形成するにすぎないため、コンパクト容器が落下等によって強い衝撃を受けることで空洞が潰れることがある。このため、従来のコンパクト容器は結果的に、固形化粧料に亀裂や欠けを生じさせることがあった。
【０００５】
本発明の目的とするところは、受皿部材が受ける衝撃を効果的に吸収することで、受皿部材に固定された固体物に亀裂や欠けを生じさせない新規なコンパクト容器を提供することにある。
【課題を解決するための手段】
【０００６】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、受皿部材を収納する受皿収納部と、この受皿収納部を容器本体に連結するとともに可撓性を有する緩衝部とを備え、当該緩衝部は、受皿収納部に固定される環状体と、当該環状体から垂下して受皿収納部の底部を容器本体の凹所底面よりも上方に支持する複数の脚部と、当該環状体から外側に向かって上方に伸びる腕部を有して容器本体に固定される固定部が設けられたブリッジ部と、当該環状体から起立して前記複数の脚部とともに受皿収納部を高さ方向に位置決めする複数の突起部とからなることを特徴とするものである。
【０００７】
衝撃吸収部材は、例えば、受皿収納部又は緩衝部をインサート品としてインサート成形することができ、或いは、異材質の材料を用いて二色成形（ダブルモールド）することもできる。緩衝部は、例えば、エラストマやゴム等の可撓性を有する軟質材料で構成されている。また、受皿収納部は、ポリプロピレン等の保形性を有する硬質材料で構成されているが、緩衝部と同材質で一体に構成することもできる。
【０００８】
前記脚部は、下方に向かって先細りする形状にすることができる。
【０００９】
また、前記突起部も、上方に向かって先細りする形状にすることができる。
【００１０】
また、前記容器本体には、前記緩衝部を覆うカバーを備えた中枠部材を設けることができる。
【発明の効果】
【００１１】
本発明では、衝撃吸収部材は、可撓性を有した緩衝部を受皿収納部に固定してなり、この受皿収納部の底部は、緩衝部の環状体から複数の脚部を垂下させることにより、容器本体の凹所底面よりも上方に空間を設けて配置されることから、受皿部材の底部を容器本体の凹所底面に接触させることなく配置することができる。加えて、受皿収納部は、環状体から外側に向かって上方に伸びるブリッジ部を介して容器本体に固定される。
【００１２】
即ち、受皿部材は、衝撃吸収部材によって、凹所の上端開口は勿論、その内側面及び底面に対しても離間した状態に支持される。このため、容器本体からの衝撃は、衝撃吸収部材の緩衝部を通して受皿部材に伝わるので、受皿部材が容器本体からの衝撃を直接受けることがない。
【００１３】
しかも、容器本体が上下方向から受ける衝撃は、主として脚部の変形及び復元によって吸収又は分散されたのち、環状体の変形及び復元によっても吸収又は分散される。また、容器本体が前後左右方向から受ける衝撃は、主としてブリッジ部の変形及び復元によって吸収又は分散されたのち、環状体の変形及び復元によっても吸収又は分散される。
【００１４】
即ち、衝撃吸収部材は、緩衝部の変形及び復元力によって、容器本体が前後左右上下のいずれから衝撃を受けても、その衝撃を吸収し又は分散させることができる。このため、受皿部材が受皿収納部を通して受ける衝撃も小さく抑えることができる。
【００１５】
従って、本発明によれば、受皿部材が受ける衝撃を効果的に吸収することで、受皿部材に固定された固体物に亀裂や欠けを生じさせない新規なコンパクト容器を提供することができる。
【図面の簡単な説明】
【００１６】
【図１】本発明の一形態である、化粧用コンパクト容器の前後方向を示す縦断面図及び、その一部拡大図である。
【図２】同形態に係る、衝撃吸収部材を示す斜視図である。
【発明を実施するための形態】
【００１７】
以下、図面を参照して、本発明の一形態である、化粧用コンパクト容器を詳細に説明する。
【００１８】
図１は、本発明の一形態である、化粧用コンパクト容器１０である。符号１１は、受皿部材である。受皿部材１１は、横断面が円形の周壁１１ａの下端に底壁１１ｂを一体に設け、その内側に、固体物たる固形化粧料Ｓを固定保持する。
【００１９】
符号１２は、容器本体である。容器本体１２は、横断面が円形の周壁１２ａの下端に底壁１２ｂを一体に設け、その内側には、受皿部材１１を収納する凹所Ｃ１が形成されている。凹所Ｃ１は、周壁１２ａの内周面１２ｆ1から内側に膨出する複数の膨出部１２ｃで形成されている。膨出部１２ｃは、内周面１２ｆ1に沿って、その周方向に間隔を置いて配置されている。
【００２０】
また図１中、符号１３は、凹所Ｃ１の上端開口を開閉可能な蓋体である。蓋体１３は、容器本体１２に対してピンＰを介して連結されている。蓋体１３は、外蓋体１３ａと内蓋体１３ｂからなる。内蓋体１３ｂの内側には鏡１９が固定されている。
【００２１】
符号Ｍは、衝撃吸収部材である。衝撃吸収部材Ｍは、受皿収納部１４を有する。受皿収納部１４は、ポリプロピレン等に代表される保形性を有した硬質材料からなる。受皿収納部１４は、横断面が円形の周壁１４ａの下端に底壁１４ｂを一体に設け、その内側には、図２に示すように、受皿部材１１を収納する凹所Ｃ２が形成される。
【００２２】
また、衝撃吸収部材Ｍは、受皿収納部１４を容器本体１２に連結する緩衝部１５を備える。緩衝部１５は、エラストマやゴムに代表される可撓性を有した軟質材料からなる。緩衝部１５は、受皿収納部１４を取り囲むように当該受皿収納部１４に固定される環状体１５ａを有する。
【００２３】
受皿収納部１４及び緩衝部１５は、受皿収納部１４又は緩衝部１５のいずれか一方をインサート品としてインサート成形することができ、或いは、異材質の材料を用いて二色成形（ダブルモールド）することもできる。また、受皿収納部１４は、緩衝部１５と同様の軟質材料で構成することもできる。
【００２４】
環状体１５ａには、複数の脚部１５ｂが周方向に間隔を置いて設けられている（図２中では、例示的に１箇所のみ表記）。脚部１５ｂは、同図に示すように、環状体１５ａから下方に向かって一体に垂下する。脚部１５ｂは、その先端１５ｅ1が下方に向かって先細りする三角形状に形成されている。
【００２５】
また、脚部１５ｂは、図１に示すように、その先端１５ｅ1が容器本体１２の底壁１２ｂに接地することで、環状体１５ａを介して受皿収納部１４を支持する。脚部１５ｂは、同図に示すように、受皿収納部１４の底壁１４ｂを、容器本体１２の凹所底面１２ｆ3よりも上方に間隔を空けて配置する。
【００２６】
更に、環状体１５ａには、図２に示すように、周方向に間隔を置いて複数のブリッジ部１５ｃが設けられている（図２中では、例示的に１箇所のみ表記）。ブリッジ部１５ｃは、環状体１５ａから外側に向かって上方に伸びる腕部１５ｃ1を有する。腕部１５ｃ1はそれぞれ、環状の張り出し部１５ｃ2によって一体に連結されている。張り出し部１５ｃ2は、図１に示すように、容器本体１２の膨出部１２ｃの上端１２ｅに固定される固定部として機能する。
【００２７】
加えて、環状体１５ａには、図２に示すように、周方向に間隔を置いて複数の突起部１５ｄが設けられている（図２中では、例示的に１箇所のみ表記）。突起部１５ｄは、環状体１５ａから上方に向かって一体に起立する。突起部１５ｄは、その先端１５ｅ2が上方に向かって先細りする三角形状に形成されている。突起部１５ｄは、脚部１５ｂとともに受皿収納部１４を高さ方向に位置決めする。
【００２８】
張り出し部１５ｃ2は、膨出部１２ｃの上端１２ｅに接着等の固定手段により固定することも可能であるが、本形態では、図１に示すように、容器本体１２に、中枠部材１７が設けられている。中枠部材１７は、張り出し部１５ｃ2の上端に接触する張り出し部１７ａを有する。張り出し部１７ａは、容器本体１２の内周面１２ｆ1に嵌合させることで、容器本体１２に対して固定される。これにより、衝撃吸収部材Ｍは、中枠部材１７によって固定することができる。
【００２９】
また、張り出し部１７ａの内側には、緩衝部１５を覆うカバー１７ｂが一体に設けられている。カバー１７ｂは、図１に示すように、張り出し部１７ａから受皿収納部１４に向かって縮径しながら延在し、その内側が開口して受皿収納部１４の上端開口を開口させる。カバー１７ｂは、張り出し部１７ａとともに、ブリッジ部１５ｃを外部からの接触や粉化した固形化粧料Ｓ等から保護することで、緩衝部１５の耐久性を向上させる。
【００３０】
また、カバー１７ｂの裏側には、環状の平坦面１７ｆが形成されている。本形態では、平坦面１７ｆは、容器本体１２の凹所底面１２ｆ3からの高さが、脚部１５ｂの先端１５ｅ1から突起部１５ｄの先端１５ｅ2までの高さよりも低く設定されている。このため、脚部１５ｂ及び突起部１５ｄは、環状体１５ａとともに、容器本体１２と中枠部材１７との間で圧縮された状態で係止される。
【００３１】
即ち、衝撃吸収部材Ｍは、容器本体１２と中枠部材１７との間で緩衝部１５が挟持されることで、容器本体１２と中枠部材１７との間に強固に固定される。即ち、突起部１５ｄは、脚部１５ｂとともに受皿収納部１４を高さ方向に位置決めするとともに、衝撃吸収部材Ｍの固定手段としても機能する。
【００３２】
本形態では、衝撃吸収部材Ｍは、可撓性を有した緩衝部１５を受皿収納部１４に固定してなり、この受皿収納部１４の底壁１４ｂは、緩衝部１５の環状体１５ａから複数の脚部１５ｂを垂下させることにより、容器本体１２の凹所底面１２ｆ3よりも上方に空間（隙間）を設けて配置されることから、受皿部材１１の底壁１１ｂを凹所底面１２ｆ3に接触させることなく配置することができる。加えて、受皿収納部１４は、環状体１５ａから外側に向かって上方に伸びる複数のブリッジ部１５ｃを介して容器本体１２に固定される。
【００３３】
即ち、受皿部材１１は、衝撃吸収部材Ｍによって、凹所Ｃ１の上端開口は勿論、その内側面１２ｆ2及び底面１２ｆ3に対しても離間した状態に支持される。このため、容器本体１２からの衝撃は、衝撃吸収部材Ｍの緩衝部１５を通して受皿部材１１に伝わるので、受皿部材１１が容器本体１２からの衝撃を直接受けることがない。
【００３４】
しかも、容器本体１２が上下方向から受ける衝撃は、主として脚部１５ｂ及び突起部１５ｄの変形及び復元によって吸収又は分散されたのち、環状体１５ａの変形及び復元によっても吸収又は分散される。また、容器本体１２が前後左右方向から受ける衝撃は、主としてブリッジ部１５ｃの変形及び復元によって吸収又は分散されたのち、環状体１５ａの変形及び復元によっても吸収又は分散される。
【００３５】
即ち、衝撃吸収部材Ｍは、緩衝部１５の変形及び復元力によって、容器本体１２が前後左右上下のいずれから衝撃を受けても、その衝撃を吸収し又は分散させることができる。このため、受皿部材１１が受皿収納部１４を通して受ける衝撃も小さく抑えることができる。
【００３６】
従って、本形態によれば、受皿部材１１が受ける衝撃を効果的に吸収することで、受皿部材１１に固定された固形化粧料Ｓに亀裂や欠けを生じさせない新規なコンパクト容器を提供することができる。
【００３７】
更に、本形態のように、脚部１５ｂを、下方に向かって先細りする形状とすれば、上下方向から受ける衝撃だけでなく、前後左右方向（特に、環状体１５ａの周方向）から受ける衝撃を効果的に抑制することができる。突起部１５ｄも同様で、本形態のように、上方に向かって先細りする形状とすれば、上下方向から受ける衝撃だけでなく、前後左右方向（特に、環状体１５ａの周方向）から受ける衝撃を効果的に抑制することができる。
【００３８】
また、本形態のように、複数の突起部１５ｄを環状体１５ａから起立させて脚部１５ｂとともに、容器本体１２と中枠部材１７との間に緩衝部１５を強固に固定すれば、受皿部材１１が受ける衝撃を緩衝部１５によって効果的に吸収することができる。
【００３９】
ところで、中枠部材１７の張り出し部１７ａからは、筒壁１７ｃが上方に向かって拡径しながら延在し、その内側が開口して受皿収納部１５の上端開口を外界に通じさせる。筒壁１７ｃには、図１に示すように、カバー１７ｂとともに、その内側にパフ等の化粧道具Ｔを収納するための空間を形成する。また、筒壁１７ｃには、同図に示すように、蓋体１３に設けたフック１３ｆに引っ掛かって蓋体１３の開放を阻止するフック１７ｆとともに、これらフック１３ｆ及び１７ｆの引っ掛かりを、その押し込みにより解除するフックピース１８を設けることができる。
【００４０】
また、本形態では、図１に示すように、容器本体１２の底壁１２ｂ及び受け皿収納部１４の底壁１４ｂにそれぞれ、貫通孔Ａ１及びＡ２が形成されている。貫通孔Ａ１及びＡ２には、棒材を挿入することができる。棒材で受皿部材１１を押圧すれば、受皿部材１１を取り外すことができる。これにより、本形態に係る、コンパクト容器１０は、受皿部材１１を受皿収納部１４から着脱させることによって、新たな化粧料を収納した受皿部材を付替えるレフィル容器として機能する。
【００４１】
特に容器本体１２に形成した貫通孔Ａ１は、容器本体１２と蓋体１３との間に外気を導入するため、容器本体１２と蓋体１３との間が密閉された場合に、その負圧によって生じる衝撃吸収部材Ｍの機能低下を防止するのに有効である。
【００４２】
上述したところは、本発明の一形態を示したにすぎず、特許請求の範囲において、種々の変更を加えることができる。例えば、衝撃吸収部材Ｍの平面形状は、円形だけでなく、矩形など、受皿部材１１の平面形状に応じて適宜変更することができる。また、蓋体１３は、例えば、外蓋体１３ａと内蓋体１３ｂの二層構造ではなく、単層構造とすることができ、また、ピンＰにねじりばねを設けることで、フックピース１８を操作してフックを解除したのちは、自動的に開くように構成することができる。
【産業上の利用可能性】
【００４３】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されるコンパクト容器であれば、様々なものに適用することができる。
【符号の説明】
【００４４】
１０    コンパクト容器
１１    受皿部材
１１ａ  周壁
１１ｂ  底壁
１２    容器本体
１２ａ  周壁
１２ｂ  底壁
１２ｃ  膨出部
１２ｆ1 容器本体周壁内周面
１２ｆ2 膨出部内側面
１２ｆ3 凹所底面
１３    蓋体
１３ｆ  フック
１４    受皿収納部（衝撃吸収部材）
１４ａ  周壁
１４ｂ  底壁
１５    緩衝部（衝撃吸収部材）
１５ａ  環状体
１５ｂ  脚部
１５ｃ  ブリッジ部
１５ｃ1 腕部
１５ｃ2 張り出し部
１７    中枠部材
１７ａ  張り出し部
１７ｂ  カバー
１７ｃ  筒壁
１７ｆ  フック
１８    フックピース
１９    鏡
Ａ１    貫通孔（容器本体）
Ａ２    貫通孔（受皿収納部）
Ｍ      衝撃吸収部材
【図１】
0005774511.tif 000002
【図２】
0005774511.tif 000003